(57)【要約】【課題】カラー画像形成装置において、レジスト補正用パターン検出センサと画像形成物質量検出センサを共用するには、レジスト補正用パターン検出に必要な応答性と画像形成物質量検出に必要なダイナミックレンジの両方を同時に確保しなければならない。【解決手段】画像形成物質（トナー）を用いて記録媒体上に形成される２種類以上のパターンに、パターンの種類によって異なる出力制御を電磁波出力体に対して行う電磁波出力体出力制御手段を有する。特にレジストパターン検出の場合には連続出力、濃度パターン検出の場合には間欠出力を行う。【選択図】　図１
2004020769.tif 000002
【特許請求の範囲】
【請求項１】
ある特定の出力波長又は出力波長帯域を持つ電磁波出力体と、前記電磁波出力体からの電磁波が記録媒体上で反射した反射波を検出する電磁波検出体と、
電磁波出力体の出力を制御する電磁波出力体出力制御手段と、
を有し、
画像形成物質を用いて記録媒体上に１つ以上の検出パターンを形成したものを検出することにより、記録媒体上に形成される前記画像形成物質が持つある特定の形成パラメータを検出し前記画像形成物質の形成条件を補正するカラー画像形成装置において、
前記電磁波出力体出力制御手段は、画像形成物質を用いて記録媒体上に形成されたパターンの異なる出力制御を行うことを特徴とするカラー画像形成装置。
【請求項２】
電磁波出力体出力制御手段は、電磁波出力体の出力の大きさ、または出力時間を制御することを特徴とする請求項１記載のカラー画像形成装置。
【請求項３】
電磁波出力体出力制御手段は、レジストパターンを検出する場合には連続出力を行い、濃度パターンを検出する場合には間欠出力を行うことにより、パターンの異なる出力制御を行うことを特徴とする請求項１または２記載のカラー画像形成装置。
【請求項４】
電磁波は、可視光領域に出力波長又は出力波長帯域を持つ光であることを特徴とする請求項１〜３のいずれかに記載のカラー画像形成装置。
【発明の詳細な説明】
【０００１】
【発明の属する技術分野】
本発明は、カラー複写機やカラープリンタなどのカラー画像形成装置に関し、画像形成物質（随時，トナーと記す）を用いて記録媒体（随時，記録用紙と記す）上に１つ以上の検出パターンを形成したものを検出することにより、記録媒体上に形成される前記画像形成物質が持つある特定の形成パラメータを検出し前記画像形成物質の形成条件を補正することの出来るカラー画像形成装置において、前記画像形成物質における特定の画像形成パラメータの検出精度向上を図ったカラー画像形成装置に関する。
【０００２】
【従来の技術】
従来におけるカラー画像形成装置としては、例えば水平方向に沿う記録媒体搬送路に対して複数の画像形成ユニットを配設し、記録媒体搬送路に沿って移動する記録媒体に前記各画像形成ユニットから順次画像形成物質を転写させ、記録媒体上にカラー画像を形成するようにしたタンデム型と称されるものが知られている。
【０００３】
図４に、従来のタンデム型カラー画像形成装置の内部構成例を示す。このカラー画像形成装置の内部は主に、画像形成ユニット１１、ＬＳＵ１３、中間転写ユニット１４、記録媒体格納部１５、転写ローラ１７、定着部１８、排出部１９から構成される。なお、画像形成ユニット１１は、それぞれある一部が異なる物質（例えば色材）を有する画像形成物質を格納しているものが複数ユニット（図４においては４ユニット）存在しており、これら複数の画像形成ユニットから記録媒体上への画像形成を一度に行うことが出来る構成になっている。これがタンデム型と称される所以となっている。
【０００４】
このカラー画像形成装置においては、まず画像形成ユニット１１の内部にある感光体１２に対して、ＬＳＵ１３から発せられるレーザビームにより潜像が形成され、その後、画像形成ユニット１１内部に格納されている例えばトナーのような画像形成物質が、感光体１２上の潜像部分に付着する。
【０００５】
前記潜像部分に付着した画像形成物質は、いったん中間転写ユニット１４に転写された後、記録媒体格納部１５より供給される記録媒体が記録媒体搬送経路１６を通り排出部１９へ排出される途中にある、中間転写ユニット１４と転写ローラ１７との接点において記録媒体に再転写される。その後、画像形成物質が転写された記録媒体は、定着部１８により画像形成物質を定着処理され、排出部１９より排出される。
【０００６】
タンデム型カラー画像形成装置においては画像形成ユニットが複数存在するため、それらの本体への取り付け状態や、画像形成ユニットそのものを構成する部品の物理的なバラツキに起因する、各画像形成ユニットからの画像形成位置ズレが発生する。例えば、各画像形成ユニットに格納されている画像形成物質を構成している物質のうち、それぞれある一部が異なる物質が例えば色材であった場合は、記録媒体上においてそれが色ズレとなって人間の視覚に認識されてしまう。従って、各画像形成ユニットの画像形成位置ズレを検出し、それを補正するしくみが必要となる。
【０００７】
従来のタンデム型カラー画像形成装置においては、図４でも示したような中間転写体ユニットを持っているのが普通である。そのため、画像形成位置のズレを検出する場所は、中間転写体ユニットに装着されている中間転写ベルトの表面上となっている。
【０００８】
図５及び図６はいずれも、中間転写ベルト上で画像形成物質を検出するための検出システムの構成例を示している。図５は画像形成物質が中間転写ベルト２１上に載っていない場合、図６は画像形成物質が中間転写ベルト３１上に載っている場合を示す。本検出システムは主に、中間転写ベルト２１及び３１と、例えば反射型フォトセンサのような、画像形成物質検出センサ２２及び３２から構成される。中間転写ベルト２１及び３１はそれぞれ２５及び３５の中間転写ベルトの搬送方向に搬送される。
【０００９】
中間転写ベルトは通常、記録媒体への転写後も表面に残ってしまった画像形成物質を取り除きやすくするために、表面が出来るだけ滑らかな物質で構成されている。また、画像形成物質検出センサ２２及び３２の取り付け角度は、中間転写ベルト２１及び３１の接線方向に対してある特定の角度θを持たせている。このことにより、例えば図５のように画像形成物質が中間転写ベルト２１上に載っていない場合は、画像形成物質検出センサ２２より発せられた例えば赤外光のような検出ビームのほとんどが２４のようなビーム経路をたどるので、画像形成物質検出センサ２２に反射して検出される反射ビームをほとんど無視できる。しかしながら、図６に示すように、画像形成物質が中間転写ベルト３１上に載っている場合は、画像形成物質検出センサ３２より発せられた検出ビームの無視できない一部が、中間転写ベルト３１上の画像形成物質３３によって乱反射し、ビーム経路３４をたどり、画像形成物質検出センサ３２に反射して検出される。以上のような原理により、中間転写ベルト上における画像形成物質の位置が特定される。
【００１０】
このような原理の応用例として、タンデム型カラープリンタにおける色ズレ補正がある。タンデム型カラープリンタは、シアントナー、マゼンタトナー、イエロートナー、ブラックトナーという４つの異なる色材を含む画像形成物質をそれぞれ格納した画像形成ユニットを４基有し、最終的に記録紙またはＯＨＰという記録媒体に各色トナーを転写させることによりカラー画像を形成するが、このときの各色トナーの形成位置のズレが、記録媒体上では色ズレとなって人間の視覚に認識されてしまう。それを防ぐために、画像形成物質検出センサとして反射型赤外線センサを用いて、中間転写ベルト上の各色トナーの位置を検出することにより色ズレ量を算出し補正することが出来る。
【００１１】
より具体的には、例えば図７に示すように、中間転写ベルト４ａ上にレジスト補正用パターン４ｂ及び４ｃと呼ばれる、各色トナーの色ズレ量を検出するための画像パターンを形成する。中間転写ベルト４ａ上の左右にレジストセンサ４ｄ及び４ｅを１つずつ設置し、中間転写ベルト４ａの移動により当該列のレジスト補正用パターン４ｂ又は４ｃの検出を行う。レジスト補正用パターン４ｂ、４ｃは、副走査方向の対称線４ｆを基準として、互いに線対称の位置に同色のパターンが形成され、その形状自体も副走査方向を対称線として左右が鏡対称となるように形成される。
【００１２】
これら左右のレジスト補正用パターン４ｂ及び４ｃは、中間転写ベルト４ａの移動に伴い、それぞれのレジスト補正用パターンの各色がレジストセンサ４ｄ又は４ｅを通過して行く。この時、中間転写ベルト４ａの移動速度は、極力一定に保たなければならない。レジストセンサ４ｄ及び４ｅは、各色のレジスト補正用パターンがセンサの真下付近に来た時に検出信号を出力するようになっている。
【００１３】
こうして、例えばレジスト補正用パターンの各色毎にその検出信号が出力された時間を計測し、その時間の中心となる時刻を求め、各色毎の中心検出時刻を互いに比較することにより（例えば、ブラックを基準に比較することにより）、各色の画像形成ユニットの画像形成開始時刻や位置の、本来期待される値からのズレを算出することが出来る。その算出されたズレ量を元に、各画像形成に関わる様々なパラメータを補正することにより、色ズレを低減することが出来るのである。
【００１４】
カラー画像形成装置をより安価に製作しようとした場合、中間転写ユニットを廃止し、画像形成ユニットから記録媒体へ直接画像形成を行うという方式が考えられる。例えば図８は、中間転写ユニットが無いカラー画像形成装置の内部構成例であるが、本構成例の場合、記録媒体は記録媒体格納部５５から感光体５２と転写ローラ５７との間を通過し、定着部５８の内部を通って排出部５９より排出される。従って、前記「従来の技術」の中で述べたような例えば色ズレ補正や画像形成物質量補正のような目的のために各画像形成物質の形成位置や単位面積当たりの画像形成物質密度のような画像形成パラメータを検出しようとすると、それは各感光体５２上か、または感光体５２と転写ローラ５７との間よりも後ろ側（つまり、排出部５９側）において記録媒体上に形成された画像形成物質を直接検出するしかない。
【００１５】
もし、各感光体上で検出しようとすると、例えば図８に示す構成を持つカラー画像形成装置においては従来の４倍の数の画像形成物質検出センサが必要となり、中間転写ユニットを廃止したことによるコストメリットが減少してしまう。そのため、画像形成物質検出センサの配置は感光体５２と転写ローラ５７との間よりも後ろ側（つまり、排出部５９側）で行わなければならない。
【００１６】
また、記録媒体が紙である場合は、紙自体が白色でしかも表面に凹凸があるため、前記中間転写ユニットの場合と異なり、赤外光でなく可視光を用い、また図９に示すように、散乱光でなく直接光を検出するように、センサユニットを形成しなければならない。
【００１７】
この他に補正すべき画像形成パラメータとして、画像形成ユニット１１内の画像形成物質量が挙げられる。前記画像形成物質量は、感光体１２への画像形成物質送り出し量に比例する。すなわち、画像形成ユニット１１内の画像形成物質量が増えると感光体１２への吐出圧力が増すため、感光体１２への画像形成物質送り出し量が増える。そして、感光体１２への画像形成物質送り出し量が増えると、感光体１２、ひいては中間転写ベルトや記録媒体への画像形成物質の付着量が増える。付着量が増えると中間転写ベルト上又は記録媒体上の単位面積当たりの画像形成物質密度が増え、図６における散乱光も増加し、結果的に画像形成物質検出センサ３２への反射光も増加する。よって、あらかじめ本来の適正な画像形成ユニット１１内の画像形成物質量に対応する中間転写ベルト上又は記録媒体上の単位面積当たりの画像形成物質密度での反射光レベルを記憶しておき、それと実際に検出された反射光レベルとを比較すれば、その時点での画像形成ユニット１１内の画像形成物質量が本来の物質量に対して多いか少ないかが判断でき、もし少なければ画像形成物質を画像形成ユニット内に補給するというアクションを取ることが出来る。
【００１８】
なお、図１０及び図１１は、中間転写ユニットを持たない構成を持つカラー画像形成装置において、画像形成物質であるトナー各色を、記録媒体（記録紙）上に形成する濃度補正用パターンの例及び濃度補正用パターン７ｂの拡大図である。
【００１９】
【発明が解決しようとする課題】
しかしながら、上記従来の技術では次のような課題を有していた。
【００２０】
中間転写体が存在しないカラー画像形成装置の画像形成物質パターン検出系をより安価に製作しようとした場合、レジスト補正用パターンを検出するセンサと、画像形成物質量を検出するセンサとを共用で用いることが望ましい。だが、前記「従来の技術」に記載したレジスト補正用パターンを検出する場合は、画像形成物質が存在するかしないかが検出出来れば良いが、画像形成物質の濃度変化を検出しようとする場合は、それを検出するセンサについてもある程度ダイナミックレンジが必要とされる。
【００２１】
ダイナミックレンジを確保しようとすると、センサの発光側の光量をあげるか、又は受光側の感度をあげなければならない。しかし、発光側の光量を上げると消費電力が増加し、また受光側の感度を上げすぎるとノイズに弱くなり応答性も落ちてしまう。応答性が落ちると、逆にレジスト補正用パターンはパターン幅が狭いため、検出出来なくなる危険性が生じてくる。また、受光側の感度を上げすぎると、検出したい画像形成物質の濃度レンジに達する以前にセンサの感度が飽和してしまい、濃度変化が検出できない場合も発生する。このように、センサの共用化に関しては、上記のような課題を有していた。
【００２２】
本発明は、上記従来の課題を解決するもので、画像形成物質における複数の画像形成パラメータの検出を、安価にかつ精度よく行うことの出来るカラー画像形成装置を提供することを目的とする。
【００２３】
【課題を解決するための手段】
上述の課題を解決するために本発明のカラー画像形成装置は、ある特定の出力波長又は出力波長帯域を持つ電磁波出力体と、前記電磁波出力体からの電磁波が記録媒体上で反射した反射波を検出する電磁波検出体と、電磁波出力体の出力を制御する電磁波出力体出力制御手段と、を有し、画像形成物質を用いて記録媒体上に１つ以上の検出パターンを形成したものを検出することにより、記録媒体上に形成される前記画像形成物質が持つある特定の形成パラメータを検出し前記画像形成物質の形成条件を補正するカラー画像形成装置において、前記電磁波出力体出力制御手段は、画像形成物質を用いて記録媒体上に形成されたパターンの異なる出力制御を行うことを特徴とする。
【００２４】
また、本発明のカラー画像形成装置は、電磁波出力体出力制御手段が、電磁波出力体の出力の大きさ、または出力時間を制御することを特徴とする。
【００２５】
また、本発明のカラー画像形成装置は、電磁波出力体出力制御手段が、レジストパターンを検出する場合には連続出力を行い、濃度パターンを検出する場合には間欠出力を行うことにより、パターンの異なる出力制御を行うことを特徴とする。
【００２６】
この構成により、画像形成物質における複数の画像形成パラメータの検出を、安価にかつ精度よく行うことの出来るカラー画像形成装置を提供することができるのである。
【００２７】
ところで、本発明の「記録媒体」及び「画像形成物質」とは、それぞれ一般に「記録紙」及び「トナー」を用いることになるが、特にそれらに限定するものではない。また、本発明の「間欠出力」とは、一般にパルス駆動のことを指す。すなわち、あるＯＮ／ＯＦＦ周波数とパルスデューティー比により出力と非出力を繰り返すというような状況を想定している。そしてまた、本発明の「電磁波」としては、一例として可視光があるが、これに限定するものではない。
【００２８】
【発明の実施の形態】
以下に本発明の実施の形態について、図面を参照しながら説明する。
【００２９】
（実施の形態１）
図２は、本発明を実現するためのカラー画像形成装置制御回路の構成例である。本構成例において、本体機器内ＥＣＵ（エンジンコントロールユニット）９０１内にあるＣＰＵ９１３は、プログラムＲＯＭ９１２内にプログラムされたソフトウェアを実行する役割を持つ。本実施形態の範囲内においては、前記プログラムＲＯＭ９１２には少なくとも、あらかじめ設定された条件、例えば電源投入時や、連続印字時においてある特定の連続印字枚数に達した時などに、ある定められた画像パターンを形成し（本部分に関して図２では省略している）、同時に電磁波出力体出力制御手段９１１に対し、前記画像パターンに適合する制御方法を電磁波出力体９２１（本実施形態の場合、ＬＥＤ）に対して取るよう、パラレルＩ／Ｏ９１７を介して（信号線９ａ及び９ｃを経由して）命令し、また同時に、電磁波検出体９２２（本実施形態の場合、フォトトランジスタ）から出力される電圧レベルを、信号線９ｂからＡ／Ｄコンバータ９１４を介して検知する。
【００３０】
もし、形成した画像パターンが濃度検出用パターンであれば、検知した電圧レベルと電圧／濃度変換テーブル９１５内に格納されているテーブルデータとを照合することにより、検出された電圧レベルが、許容される現像器内トナー濃度であるかどうかを判断する。
【００３１】
もし、形成した画像パターンがレジスト補正用パターンであれば、例えば前記「従来の技術」で述べたような方法を用いて、各色の画像形成の位置ずれを検出し、感光体に対して潜像を形成するＬＳＵ（レーザスキャニングユニット）の出力タイミングを調整するなどの方法を用いて、各色の画像形成の位置ずれ補正を行う（本部分に関しても図２では省略している）。
【００３２】
なお、本構成例において電磁波出力体出力制御手段９１１は、ＥＣＵ９０１内に存在しているが、特に前記ＥＣＵ９０１内に存在しなければならないということはなく、画像形成物質検出センサ９０２内にあっても良い。本発明は、電磁波出力体出力制御手段の存在位置については規定しない。
【００３３】
また、本構成例は一例に過ぎず、例えば電圧／濃度変換テーブル９１５はプログラムＲＯＭ９１２内にあっても構わないし、Ａ／Ｄコンバータ９１４はＣＰＵ９１３と一体化されていても構わない。ＥＣＵ９０１内の構成例についても、本発明は特に規定しない。
【００３４】
さらに、プログラムＲＯＭ９１２には、電磁波検出体９２２からＡ／Ｄコンバータ９１４を介して得た複数の電圧レベルデータをいったんＲＡＭ９１６に格納し、平均化やピーク値の抽出などの処理を行うプログラムが格納されていても良い。プログラムＲＯＭ９１２内に格納されるプログラムについても、本発明は特に規定しない。
【００３５】
図３は、図２における電磁波出力体出力制御手段９１１及び画像形成物質検出センサ９０２の回路構成例である。本図３において、電磁波出力体出力制御手段９１１、電磁波出力体（ＬＥＤ）９２１、電磁波検出体（フォトトランジスタ）９２２、信号線９ａ及び９ｂは、前記図２のそれぞれに対応する。
【００３６】
本図３において、信号線９ａにｈｉｇｈ信号が印加されると、電磁波出力体出力制御手段９１１内のトランジスタ１０ａがＯＮし、コレクタＣからエミッタＥへ電流が流れるため、電磁波出力体（ＬＥＤ）９２１が電磁波、すなわち本実施形態の場合、ある出力波長又は出力波長帯域を有する可視光を出力する。
【００３７】
電磁波出力体（ＬＥＤ）９２１から出力された電磁波（可視光）は、その一部が記録媒体（記録紙）１０ｂ上を反射し、電磁波検出体（フォトトランジスタ）９２２に入力される。反射される電磁波（可視光）の割合は、記録媒体（記録紙）１０ｂ上に画像形成物質（トナー）１０ｃが形成されている部分とそうでない部分とで異なり、また、画像形成物質（トナー）１０ｃが形成されている密度によっても異なるため、それが電磁波検出体（フォトトランジスタ）９２２からの出力電圧（信号線９ｂ）において電圧レベルに差を生じさせる。従って、電磁波検出体（フォトトランジスタ）９２２からの出力電圧（信号線９ｂ）と、記録媒体（記録紙）１０ｂ上に形成される画像形成物質（トナー）１０ｃの密度との関係をあらかじめ調査し、そのデータを前記図２における電圧／濃度変換テーブル９１５に格納しておけば、検出された電圧レベルが、許容される現像器内トナー濃度であるかどうかを判断することが出来る。
【００３８】
図１は、前記図３における電磁波出力体出力制御手段９１１の駆動信号線９ａの例である。すなわち、レジスト補正用パターン検出時においては前記図３のトランジスタ１０ａを連続的にＯＮし、トナー濃度検出用パターン検出時においてはある周波数でＯＮ時間１１ｃとＯＦＦ時間１１ｄとを交互に繰り返す間欠駆動（パルス駆動）を行う。同時に、電磁波出力体（ＬＥＤ）９２１の駆動電源Ｖ１を高い電圧に上げるか、又は抵抗Ｒ−ＬＥＤの抵抗値を小さいものに切り替える等の電磁波出力体動作電流切替手段を用いることにより、電磁波出力体（ＬＥＤ）９２１からの電磁波（可視光）出力を瞬間的に上げる。これにより、電磁波検出体（フォトトランジスタ）９２２に入力される電磁波（可視光）も増えるため、電磁波検出体（フォトトランジスタ）９２２からの出力電圧（信号線９ｂ）の可変範囲は拡大する。すなわち、ダイナミックレンジが拡大する。単純に連続出力で電磁波出力体の動作電流を上げただけでは消費電力が増えてしまうし、動作電流の定格にも限界があるのでダイナミックレンジの拡大にも限界があるが、間欠駆動（パルス駆動）を行うことにより、たとえ電磁波出力体の動作電流の定格を瞬間的に超えても、平均値において定格以内に収めることで、ダイナミックレンジの拡大と消費電力増加の抑制・定格の遵守を両立させることが出来るのである。
【００３９】
【発明の効果】
以上のように本発明によれば、画像形成物質における複数の画像形成パラメータの検出を、安価にかつ精度よく行うことの出来るカラー画像形成装置を提供することができる。
【図面の簡単な説明】
【図１】図３における電磁波出力体出力制御手段９１１の駆動信号線９ａの例を示す図
【図２】本発明を実現するためのカラー画像形成装置制御回路の構成例を示す図
【図３】図２における電磁波出力体出力制御手段及び画像形成物質検出センサ部の回路を示す図
【図４】従来のタンデム型カラー画像形成装置の内部構成例を示す図
【図５】中間転写ベルト上で画像形成物質を検出するための検出システムの構成例（画像形成物質が中間転写ベルト上に載っていない場合）を示す図
【図６】中間転写ベルト上で画像形成物質を検出するための検出システムの構成例（画像形成物質が中間転写ベルト上に載っている場合）を示す図
【図７】従来のタンデム式カラー画像形成装置におけるレジスト補正用パターン及びレジストセンサ配置の例を示す図
【図８】中間転写ユニットが無いカラー画像形成装置の内部構成例を示す図
【図９】記録媒体（記録紙）上で画像形成物質を検出するための検出システムの構成例（画像形成物質が記録媒体上に載っている場合）を示す図
【図１０】中間転写ユニットを持たない構成を持つカラー画像形成装置において、画像形成物質であるトナー各色を、記録媒体（記録紙）上に形成する濃度補正用パターンの例を示す図
【図１１】図１０における濃度補正用パターン７ｂの拡大図
【符号の説明】
１１　画像形成ユニット
１２　感光体
１３　ＬＳＵ
１４　中間転写ユニット
１５　記録媒体格納部
１６　記録媒体搬送経路
１７　転写ローラ
１８　定着部
１９　排出部
２１　中間転写ベルト
２２　画像形成物質検出センサ
２４　ビーム経路
２５　中間転写ベルトの搬送方向
３１　中間転写ベルト
３２　画像形成物質検出センサ
３３　画像形成物質
３４　ビーム経路
３５　中間転写ベルトの搬送方向
４ａ　中間転写ベルト
４ｂ，４ｃ　レジスト補正用パターン
４ｄ，４ｅ　レジストセンサ
４ｆ　中間転写ベルト上の副走査方向の対称線
５１　画像形成ユニット
５２　感光体
５３　ＬＳＵ
５５　記録媒体格納部
５７　転写ローラ
５８　定着部
５９　排出部
６１　記録媒体（記録紙）
６２　画像形成物質検出センサ（発光側）
６３　画像形成物質
６４　画像形成物質検出センサ（受光側）
６５　中間転写ベルトの搬送方向
７ａ　記録媒体（記録紙）
７ｂ，７ｃ　濃度補正用パターン
７ｄ，７ｅ　濃度センサ
７ｆ　記録媒体（記録紙）上の副走査方向の対称線
８ｙ　イエロー濃度検出パッチ
８ｍ　マゼンタ濃度検出パッチ
８ｃ　シアン濃度検出パッチ
８ｋ　ブラック濃度検出パッチ
９ａ，９ｂ，９ｃ　信号線
９０１　本体機器内ＥＣＵ
９０２　画像形成物質検出センサ
９１１　電磁波出力体出力制御手段
９１２　プログラムＲＯＭ
９１３　ＣＰＵ
９１４　Ａ／Ｄコンバータ
９１５　電圧／濃度変換テーブル
９１６　ＲＡＭ
９１７　パラレルＩ／Ｏ
９２１　電磁波出力体（ＬＥＤ）
９２２　電磁波検出体（フォトトランジスタ）
１０ａ　電磁波出力体９２１をＯＮ／ＯＦＦするトランジスタ
１０ｂ　記録媒体（記録紙）
１０ｃ　画像形成物質（トナー）
Ｂ　電磁波出力体９２１をＯＮ／ＯＦＦするトランジスタ１０ａのベース
Ｃ　電磁波出力体９２１をＯＮ／ＯＦＦするトランジスタ１０ａのコレクタ
Ｅ　電磁波出力体９２１をＯＮ／ＯＦＦするトランジスタ１０ａのエミッタ
Ｖ１　電磁波出力体９２１及び電磁波出力体制御手段９１１の駆動電源
Ｖ２　電磁波検出体９２２の駆動電源
１１ａ　レジスト補正用パターン検出時における電磁波出力体（ＬＥＤ）９２１の連続出力命令区間
１１ｂ　トナー濃度検出用パターン検出時における電磁波出力体（ＬＥＤ）９２１の間欠出力命令の１周期区間
１１ｃ　電磁波出力体（ＬＥＤ）９２１の間欠出力命令の１周期区間１１ｂにおける電磁波出力体（ＬＥＤ）９２１のＯＮ時間
１１ｄ　電磁波出力体（ＬＥＤ）９２１の間欠出力命令の１周期区間１１ｂにおける電磁波出力体（ＬＥＤ）９２１のＯＦＦ時間
【図１】
2004020769.tif 000003
【図２】
2004020769.tif 000004
【図３】
2004020769.tif 000005
【図４】
2004020769.tif 000006
【図５】
2004020769.tif 000007
【図６】
2004020769.tif 000008
【図７】
2004020769.tif 000009
【図８】
2004020769.tif 000010
【図９】
2004020769.tif 000011
【図１０】
2004020769.tif 000012
【図１１】
2004020769.tif 000013